(57)【特許請求の範囲】
【請求項１】
縫合糸パッケージであって、
頂面、底面および外周縁を有するほぼ平らな基体と；
前記基体の外周縁の周りで基体の頂面から上方に延び、頂面、外面および内面を有する外壁と；
前記基体の頂面から上方に延び、内面、外面および頂面を有する内側取り出し壁であって、この内側取り出し壁の外面、前記外壁の内面および前記基体の頂面が縫合糸を収納するチャネルを形成する、内側取り出し壁と；
前記外壁の頂面から内側に延び、頂面と底面を有するフランジ部材と；
前記内側取り出し壁の内側で前記基体の頂面の中央に取り付けられて、ニードルを収めるニードルパーク手段と；
頂面、底面、縫合糸取り出し口および外周縁を備えると共にこの外周縁の周りに押圧手段を備える平らな摩擦プレート部材であって、この摩擦プレート部材の底面が前記押圧手段によって前記内側取り出し壁の頂面に対して押圧されるよう、前記内側取り出し壁の頂面上でかつ前記フランジ部材の下に装備される摩擦プレート部材を有し、
前記チャネルに収納した縫合糸が前記摩擦プレート部材の底面と前記内側取り出し壁の頂面との間を移動するように前記摩擦プレート部材を位置させることによって、前記縫合糸を前記縫合糸取り出し口から取り出すことができる縫合糸パッケージ。
【請求項２】
縫合糸パッケージであって、
頂面、底面および外周縁を有するほぼ平らな基体と；
前記基体の外周縁の周りで基体の頂面から上方に延び、頂面、外面および内面を有する外壁と；
前記基体の頂面から上方に延び、外面、内面および頂面を有する内側取り出し壁であって、この内側取り出し壁の外面、前記外壁の内面および前記基体の頂面が縫合糸を収納するチャネルを形成する、内側取り出し壁と；
前記外壁の頂面から内側に延び、頂面と底面を有するフランジ部材と；
頂面、底面、縫合糸取り出し口および外周縁を備えると共にこの外周縁の周りに押圧手段を備える平らな摩擦プレート部材であって、この摩擦プレート部材の底面が前記押圧手段によって前記内側取り出し壁の頂面に対して押圧されるよう、前記内側取り出し壁の頂面上でかつ前記フランジ部材の下に装備される摩擦プレート部材を有し、
前記チャネルに収納した縫合糸が前記摩擦プレート部材の底面と前記内側取り出し壁の頂面との間を移動するように前記摩擦プレート部材を位置させることによって、前記縫合糸を前記縫合糸取り出し口から取り出すことができる縫合糸パッケージ。
【請求項３】
縫合糸パッケージであって、
頂面、底面および外周縁を有するほぼ平らな基体と；
前記基体の外周縁の周りで基体の頂面から上方に延び、頂面、外面および内面を有する外壁と；
前記基体の頂面から上方に延び、内面、外面および頂面を有する内側取り出し壁であって、この内側取り出し壁の外面、前記外壁の内面および前記基体の頂面が縫合糸を収納するチャネルを形成する、内側取り出し壁と；
前記外壁に設けられその内面に延びるスナップ溝と；
前記内側取り出し壁の内側で前記基体の頂面の中央に取り付けられて、ニードルを収めるニードルパーク手段と；
頂面、底面、縫合糸取り出し口および外周縁を備えると共にこの外周縁の周りに押圧手段を備える平らな摩擦プレート部材であって、この摩擦プレート部材の底面が前記押圧手段によって前記内側取り出し壁の頂面に対して押圧されるよう、前記内側取り出し壁の頂面上に装備され、かつ前記摩擦プレート部材の外周縁が前記スナップ溝に係合する摩擦プレート部材を有し、
前記チャネルに収納した縫合糸が前記摩擦プレート部材の底面と前記内側取り出し壁の頂面との間を移動するように前記摩擦プレート部材を位置させることによって、前記縫合糸を前記縫合糸取り出し口から取り出すことができる縫合糸パッケージ。
【請求項４】
縫合糸パッケージであって、
頂面、底面および外周縁を有するほぼ平らな基体と；
前記基体の外周縁の周りで基体の頂面から上方に延び、頂面、外面および内面を有する外壁と；
前記基体の頂面から上方に延び、内面、外面および頂面を有する内側取り出し壁であって、この内側取り出し壁の外面、前記外壁の内面および前記基体の頂面が縫合糸を収納するチャネルを形成する、内側取り出し壁と；
前記外壁に設けられその内面に延びるスナップ溝と；
頂面、底面、縫合糸取り出し口および外周縁を備えると共にこの外周縁の周りに押圧手段を備える平らな摩擦プレート部材であって、この摩擦プレート部材の底面が前記押圧手段によって前記内側取り出し壁の頂面に対して押圧されるよう、前記内側取り出し壁の頂面上に装備され、かつ前記摩擦プレート部材の外周縁が前記スナップ溝に係合する摩擦プレート部材を有し、
前記チャネルに収納した縫合糸が前記摩擦プレート部材の底面と前記内側取り出し壁の頂面との間を移動するように前記摩擦プレート部材を位置させることによって、前記縫合糸を前記縫合糸取り出し口から取り出すことができる縫合糸パッケージ。
【請求項５】
前記押圧手段は、湾曲して外側に延び出るリムを含む、請求項１〜４のいずれかに記載のパッケージ。
【請求項６】
前記摩擦プレート部材は、開放端と閉止端をもってその外周縁まで延びる複数の放射状スロットをさらに有する、請求項１〜４のいずれかに記載のパッケージ。
【請求項７】
前記フランジ部材は、複数の間隙によって互いに離隔される複数のセグメントを備える、請求項１または２に記載のパッケージ。
【請求項８】
前記内側取り出し壁は、複数の間隙によって互いに離隔される複数のセグメントを備える、請求項１〜４のいずれかに記載のパッケージ。
【請求項９】
前記内側取り出し壁は、半円形の断面を有する請求項１〜４のいずれかに記載のパッケージ。
【請求項１０】
前記チャネルは、楕円形状を有する請求項１〜４のいずれかに記載のパッケージ。
【発明の詳細な説明】
【０００１】
【発明の属する技術分野】
本発明は、包装、特に手術針と縫合糸のパッケージに関する。
【０００２】
【従来の技術】
手術針と縫合糸のパッケージは、業界ではよく知られている。従来のパッケージは、縫合糸を収めるための複数の折り畳み可能なパネルを備えた折り畳み可能な厚紙あるいは紙でできている。そのようなパッケージは典型的には、手術針を装填するためのニードルパーク(needle park）を有する。このようなパッケージはさらに、殺菌、輸送および取扱い中に、手術針と縫合糸を保護できるように設計されている。パッケージはまた、手術針と縫合糸の取り出しが容易であるように設計される。公知のプラスチックパッケージも、手術針と縫合糸の包装に用いることができる。プラスチックパッケージは典型的には、一本ないしそれ以上の縫合糸を収める縫合糸チャネルを周縁に有する楕円形ないし円形をしている。ニードルパークは典型的には、手術針を装填するチャネルの内側に位置する。プラスチックパッケージは、内容物の装填が容易で、縫合糸の位置をチャネル内で制御した状態に保ちやすく、取り出しも容易である等、従来の紙製パッケージに比べて種々の利点を有すると考えられている。縫合糸収納用のチャネルを有する縫合糸パッケージは、以下の米国特許明細書に記載されている：米国特許第4,967,902 号、同第5,052,551 号、同第4,967,902 号、同第5,131,533 号、同第5,213,210 号、および同第4,961,498 号。
【０００３】
従来のパッケージは、数本の縫合糸と手術針を収めるときは適切に機能することが知られているが、縫合糸のパッケージについては業界に引き続き改善の要求がある。特に、自動縫合糸巻上装置において容易に使用できる縫合糸チャネルを有する縫合糸パッケージが求められている。また業界では、縫合糸をパッケージから引き出す際に、縫合糸が「ロックアップ(lock-ups)；取り出せなくなること」を起こすおそれを少なくできる縫合糸チャネルを具備する縫合糸パッケージを求める声もある。
【０００４】
【発明が解決しようとする課題】
そこで、本発明は、自動縫合糸巻上装置においても容易に使用できる縫合糸チャネルを有する縫合糸パッケージを提供することを目的とする。
【０００５】
本発明はまた、縫合糸をパッケージから引き出す際のロックアップのおそれを少なくできる縫合糸チャネルを有する縫合糸パッケージを提供することを目的とする。
【０００６】
そこで、本発明は次のような縫合糸パッケージを開示する。すなわち、本発明の縫合糸パッケージは、まずほぼ平らな基体を備える。この基体は、頂面、底面および外周縁を有する。また、基体外周縁の周りには、基体の頂面から上方に延びる外壁を備え、この外壁は頂面、外面および内面を有する。さらに、前記外壁の頂面からは内側にフランジ部材が延び、このフランジ部材は、頂面と底面を有する。また、前記基体の頂面からは内側取り出し壁が上方に延びる。この内側取り出し壁は、内面、外面と、好ましくは湾曲した頂面を有する。本発明のパッケージは、縫合糸を収納するチャネルを有する。縫合糸チャネルは、内側取り出し壁の外面と、外壁の内面および基体の頂面の間に形成される。内側取り出し壁とフランジ部材は、セグメントの形にしてもよい。ニードルパークは、基体の頂面上で内側取り出し壁の内部に位置する。平らな摩擦プレート部材は、パッケージに取り付けられる。平らな摩擦プレート部材は、頂面、底面、縫合糸取り出し口および外周縁を備える。この平らな摩擦プレート部材は、摩擦プレート部材がフランジ部材の下方でパッケージの内部に係合し、かつ摩擦プレート部材の底面が内側取り出し壁の頂面に対して押圧されるよう、フランジの底面および／または外壁の内面に係合する押圧部を有する。摩擦プレート部材は、その外周縁に、複数の放射状に延びるスロットを備えるのが好ましい。
【０００７】
本発明はもう一つの様相に係る縫合糸パッケージもほぼ平らな基体を備える。この基体は、頂面、底面および外周縁を有する。また、基体外周縁の周りには、基体の頂面から上方に延びる外壁を備え、この外壁は頂面、外面および内面を有する。さらに、外壁には、摩擦プレート部材の外周縁を収める溝が設けられる。また、前記基体の頂面からは内側取り出し壁が上方に延びる。この内側取り出し壁は、内面、外面と、好ましくは湾曲した頂面を有する。この内側取り出し壁はセグメントの形にしてもよい。本発明のパッケージは、縫合糸を収納するチャネルを有する。縫合糸チャネルは、内側取り出し壁の外面と、外壁の内面および基体の頂面の間に形成される。ニードルパークは、基体の頂面上で、内側取り出し壁の内部に位置する。平らな摩擦プレート部材は、パッケージに取り付けられる。平らな摩擦プレート部材は、頂面、底面、縫合糸取り出し口および外周縁を備える。この平らな摩擦プレート部材は、摩擦プレート部材がフランジ部材の下方でパッケージの内部に係合し、かつ摩擦プレート部材の底面が内側取り出し壁の頂面に対して押圧されるよう、フランジの底面および／または外壁の内面に係合する押圧部を有する。摩擦プレート部材は、その外周縁に、複数の放射状に延びるスロットを備えるのが好ましい。
【０００８】
手術針と縫合糸をつなげたものを本発明のパッケージから取り出す際には、最初に手術針をニードルパークから取り出し、ついで手術針と縫合糸を摩擦プレートにある取り出し口を通して引っ張る。摩擦プレート部材は、制限された垂直方向の変位が可能であるという意味で、「浮動」部材である。この「浮動」摩擦プレート部材は、縫合糸が外に出ることを可能にする。内壁の頂面上にあるチャネルは、浮動摩擦プレート部材を押圧して垂直方向に変位させる。摩擦プレート部材は、その外周縁に、複数の放射状に延びるスロットを備えるのが好ましい。
【０００９】
本発明の他の様相は、上述のパッケージでニードルパークのないものである。
本発明の上述の特徴と利点は、以下の説明と添付の図面により明らかにあるであろう。
【００１０】
【発明の実施の形態】
図１〜６には、本発明の縫合糸パッケージ５を示す。縫合糸パッケージ５は、トレー１０と摩擦プレート部材７０を備える。平面基体２０は、頂面２１と底面２２、および外周縁２４を有する。平面基体２０は、一般に楕円形をとる。すなわち、相対向して互いに平行で長手の両側縁が、相対向する半円形の端部に接続する。しかし、平面基体は、他の楕円形、多角形あるいはこれらを組合せたものなど、他の形状をとることもできる。基体２０はまた、複数の穴２５と取付けピン用の開口２６，２７を有する。
【００１１】
平面基体２０の外周縁の周りでは、頂面から、上方に外壁３０が延びる。外壁３０は、頂面３２、内面３４および外面３５を有する。また、外壁３０の頂面からは、内側に、隙間４９で分け隔てられながら、複数のフランジ部材４０が延びる。このフランジ４０は、頂面４１と底面４２を有する。複数のフランジ部材４０は、所望ならば、分割した形ではなく、一個の連続したフランジ部材で置き換えることもできる。
【００１２】
基体２０の頂面から上方に延び出るのは、内側取り出し壁５０である。この内側取り出し壁５０は、頂面５２、外面５４および内面５６を有する。内側取り出し壁５０は、断面が湾曲しているのが好ましい。内側取り出し壁５０の断面は、図２においては半円形であるが、先に説明した楕円形の両側の平行な部分に、湾曲した部分を頂部として含むような他の湾曲形状でもよい。また、好ましいことではないが、不都合があってもよいならば、取り出し壁５０の断面は、正方形、多角形、矩形等でもよい。内側取り出し壁５０は、好ましくは、図にあるような空隙５９を隔てたセグメント５１のように、いくつかに分割されているのがよい。しかし、取り出し壁５０は、所望ならば、縫合糸取り出し口を一個ないしそれ以上設けた連続形状でもよい。縫合糸取り出し壁５０は典型的には基体２０と同じ形状にするが、所望ならば他の形状でもよい。好ましくは、内壁５０と外壁３０は、互いに平行に離隔される。縫合糸１００を収め、保持する縫合糸チャネル１５は、外壁３０の内面３４、内壁５０の外面５４および基体２０の頂面２１によって形成される。
【００１３】
トレー１０には、図３に示すような摩擦プレート部材７０が取り付けられる。摩擦プレート部材７０は、頂面７２、底面７４および外周縁７５を有するほぼ平らな部材である。摩擦プレート部材７０は、縫合糸取り出し口７６を有する。取り出し口７６は、両縁７７と、湾曲した端部７８および平らな端部７９を有する。取り出し口７６は、楕円、半円、多角形、正方形等の適当な幾何形状にする。摩擦プレート部材７０はトレー１０に揃えるための整列穴７１と７３を有する。摩擦プレート部材７０にはまた、外周縁７５に、複数の放射状に延びるスロット９０が設けられる。スロット９０は、両縁９１と丸型の内端９３および開口９５を有する。摩擦プレート部材は好ましくは、ほぼ楕円形で外壁３０とほぼ同じ形状をなすのがよい。しかし、他の形状も可能である。図７は、本発明の他の態様に係る摩擦プレート部材２００を示す。摩擦プレート部材２００は、これまで説明してきたプレート部材７０と同じ形状を有するが、外周縁に放射状のスロットはない。
【００１４】
摩擦プレート７０の外周縁７５には、ロックフランジすなわち押圧リム８０が設けられる。図２と図６において、ロックフランジリム８０は、摩擦プレート部材７０がトレー１０に挿入され、摩擦プレート部材７０の外周縁７５の全部または一部が湾曲したときに、下方延長部８１、頂点８２および上方・外側延長部８３を有する湾曲したリム８０を形成するように形成される。リム８０の端部８４は、フランジ４０の内面４２と外壁３０の内面３４に係り合い、内壁５０の頂面５２上のプレート部材７０を介して下方へ押圧する力を生み出す。望むならば、押圧リム８０は、エラストマー部材、ポリマー部材、ばね等の機械的要素、それらの組合せおよび等価物などを含む、押圧力を生み出す等価的な構造をもつ部材で置き換えることができる。リム８０を形成するための所望の湾曲を効果的に形成すべく、リム８０が、プレート部材７０をトレー１０に挿入するとき形成されるようにするためには、プレート部材７０の外側の全体的な寸法が、外壁３０の内面３４の内側の寸法より、十分に大きいことが必要である。すなわち、リム８０を形成するための湾曲を効果的に生み出すのに十分なだけ、プレート部材７０が外壁３０よりはみ出していなければならない。望むならば、リム８０は、公知のダイ形成技術を使って、トレー１０への挿入に先立って形成しておいてもよい。
【００１５】
図８と９には、本発明に係るパッケージの他の態様を示す。パッケージ１２０は、トレー１２５と、摩擦プレート部材１７０のリム１８０を収めるのに、フランジ部材の代わりに、連続的な溝１４０を有する外壁１３０を備える。摩擦プレート部材１７０は、外周縁１７５に、複数の放射状に延びるスロット１９０を有する。摩擦プレート部材１７０は、リム部１８０を備える。溝１４０は、交差状の断面、湾曲断面、あるいはこれらの組合せ等の、リム１８０を効果的に保持できるような断面を有する。
【００１６】
ニードルパーク６０は、手術針１１０が、摩擦プレート７０にある取り出し口７６を通じて引き出せるよう、内側取り出し壁５０の内部にある基体２０の頂面２１上に位置する。ニードルパーク６０は好ましくは、変形可能な縁６３を有する二対の対向する部材６２からなり、この部材６２は、基体２０の頂面２１から突出して設けられるかまたは頂面２１に取り付けられる。ニードルパーク６０はまた、発砲体、フラップ等の公知のニードルパークを利用してもよい。
【００１７】
図４において、基体２０は、縫合糸の巻上工程時に、公知の取付けピンを嵌め込むための穴２６，２７を有する。基体２０はまた、公知の巻上ピンを収めるチャネル１５に、複数の穴２５を有する。この穴２５はまた、縫合糸１００がチャネル１５に装填されている間、基体２０の上で真空を引き出すための真空引き出し口としても働く。
【００１８】
公知の手術針１１０と縫合糸１００を組合せたものは、次のようにして本発明に係るトレー１０に巻き付けられる（図４参照）。トレー１０は、公知の取付けピンを取付け用の穴２６，２７を介して挿入しながら、公知の縫合糸巻上機に取り付けられる。さらに、基体２０のチャネル１５にある穴２５を通して、公知の巻上ピンが挿入される。同時に、穴２５に沿って真空が引かれる。ついで、手術針がニードルパーク６０にあるエッジ６２と６３の間に取り付けられる。次に、縫合糸１００の遠方端を、好ましくは内部取り出し壁５０の位置の頂面５２を横切るようにして配置する。この後、縫合糸１００は、縫合糸１００の巻線同士が互いに絡み合うことのないよう、縫合糸の隣接する巻線同士が空隙を介して離隔され、好ましくは一定の巻上パターンに従って、チャネル１５において巻き付ける。巻上が終わったら、好ましくはリム８０がフランジ部材４０の底面４２と外壁３０の内面３４に係合するようにして、摩擦プレート部材７０をトレー１０に嵌め込み、パッケージ５を形成する。図４において、縫合糸１１０は、遠方端またはテール(tail)部１０６を有する。縫合糸１００と手術針１１０は、図８と９にみられるように、同じようにして、パッケージ１２０に巻き上げられる。摩擦プレート部材１７０は、フランジ部材１８０が、整列穴７１，７３と、これらの穴７１，７３に嵌ってプレート７０をトレー１０に案内する公知のロッドを使って嵌め込み用の溝１４０に係合するよう、トレー１２５に嵌め込まれる。
【００１９】
手術針１１０と縫合糸１００は、次のようにして本発明のパッケージから引き出される。手術針１１０は、公知のニードルグラスパによって把持され、摩擦プレート部材７０にある開口７６を通して引き出される。手術針１１０を最後まで引くと、縫合糸が解かれ、分割して設けた内側取り出し壁５０にある空隙５９を通してか、あるいは内側取り出し壁５０の頂面５２と摩擦プレート部材７０の底面７４の間の開口７６を通して引き出される（図４参照）。手術針１１０と縫合糸１００は、同じようにしてパッケージ１２０からも引き出される。
【００２０】
本発明の縫合糸パッケージは、次のようにして縫合糸の「ロックアップ」を抑えると考えられる。摩擦プレート部材７０の底面７１は、摩擦プレート部材が垂直変位が可能な「浮いた」状態に保たれるよう、内壁５０の頂面５２に対して押圧される。図５と６に示したように、縫合糸１００は、内壁５０の回りのチャネル１５における「ロックアップ」状態にあるより、むしろ動くか、摩擦プレート７０の底面７４の下方を、内壁５０の頂面を横切って滑り、摩擦プレート７０を上へ押し上げながら上昇する。こうして、縫合糸１００は、縫合糸取り出し口７６を通って外に出る。パッケージ１２０も同じようにして働く。縫合糸の「ロックアップ」という語は、縫合糸がコア、内壁、ピンなどの回りに巻き上げられた楕円形、円形、あるいは湾曲した縫合糸チャネルをもつパッケージから縫合糸を引き出す際に、起こり得る事態を意味する。何らかの特定の理論に拘泥することを欲するものではないが、縫合糸を引き出す際の「ロックアップ」は、キャプスタン（いかりを巻き上げる装置）効果によって生ずるのかもしれない。本発明に係るトレーは、医用グレードの厚紙、ポリマーあるいはこれらの組合せを含む公知の材料でつくることができるが、ポリマーが好ましい。
【００２１】
本発明に係るトレーは典型的には、公知のポリマーから、射出成形、真空形成、数値制御式工作機械の使用、標準的な機械技術等の公知のプロセスに従って製造される。
【００２２】
本発明に係る摩擦プレート部材は、厚紙、プラスチック等の公知の医用グレード材料から製造される。摩擦プレート部材は好ましくは、ダイ切断・形成を含む公知の製造プロセスに従って製造される。
【００２３】
本発明のパッケージに包装される手術針１１０は、テーパ付きの先端をもつ針や切断用の先端をもつ針などの公知の手術針でよい。手術針１００は、湾曲、半湾曲、直線状、その他の形状をとることができる。本発明のパッケージに包装される縫合糸１００は、シルク、ポリプロピレン、ポリジオキサン、あるいはこれらの等価物など生体吸収性あるいは非吸収性の公知の縫合糸を使用できる。縫合糸は、組んだもの、織ったもの、あるいはモノフィラメントを使用できる。また、縫合糸は典型的には、熱成形など公知の技術によって手術針の端部に取り付けられる。
【００２４】
本発明に係る縫合糸パッケージは、典型的には、パッケージと内容物の殺菌状態を維持するため、図１に示した外装２５０のような外装の中に収められる。外装２５０は、フォイルパッケージ、ポリマー、フィルム、紙、ラミネート、あるいはこれらの組合せなど公知の外装を用いることができる。本発明に係るパッケージ５は、酸化エチレンの使用、放射線照射、加熱等公知の殺菌プロセスに従って殺菌される。手術針１１０と縫合糸１００を収めた本発明のパッケージの殺菌は、外装の型および殺菌方法によって、外装への包装に先立って、あるいはこの後に行われる。
【００２５】
本発明の縫合糸パッケージは多くの利点を有する。すなわち、本発明のパッケージは、種々の型および長さの縫合糸に適用でき、自動縫合糸装填装置においても使用できる。さらに、このパッケージは、縫合糸のいわゆる「ロックアップ」現象の発生を減少させることができる。
【００２６】
以上、本発明を、詳細な態様に照らして説明してきたが、当業者ならば、特許請求の範囲に謳った本発明の範囲・趣旨の中で、種々の変更を行うことが可能であろう。
【００２７】
本発明の具体的な実施態様は以下の通りである。
Ａ）縫合糸パッケージであって、
頂面、底面および外周縁を有するほぼ平らな基体と；
前記基体の外周縁の周りで基体の頂面から上方に延び、頂面、外面および内面を有する外壁と；
前記基体の頂面から上方に延び、内面、外面と頂面を有する内側取り出し壁であって、この内側取り出し壁の前記頂面と前記外壁の内面および前記基体の頂面は縫合糸収納チャネルを形成する内側取り出し壁と；
前記外壁の頂面から内側に延び、頂面と底面を有するフランジ部材と；
前記内側取り出し壁の内側で前記基体の頂面中央に取り付けられて、ニードルを収めるニードルパーク手段と；
頂面、底面、縫合糸取り出し口および外周縁、ならびにこの外周縁の周りに押圧手段を備える平らな摩擦プレート部材であって、この摩擦プレート部材の底面が前記押圧手段によって前記内側取り出し壁の頂面に対して押圧されるよう、前記内側取り出し壁の頂面上でかつ前記フランジ部材の下に取り付けられる摩擦プレート部材を有する縫合糸パッケージ。
１）前記押圧手段は、湾曲して外側に延び出るリムを含む上記実施態様Ａ）記載のパッケージ。
２）前記パッケージはさらに、手術針と縫合糸を収める上記実施態様Ａ）記載のパッケージ。
３）前記パッケージ、手術針および縫合糸は殺菌済である上記実施態様２）記載のパッケージ。
４）前記パッケージはさらに、封止した外装を具備する上記実施態様２）記載のパッケージ。
５）前記摩擦プレート部材はさらに、この摩擦プレートの外周縁まで延び、開放端と閉止端をもつ複数の放射状スロットを有する上記実施態様Ａ）記載のパッケージ。
６）前記フランジ部材は、複数の間隙によって互いに離隔される複数のセグメントから構成される上記実施態様Ａ）記載のパッケージ。
７）前記内壁は、複数の間隙によって互いに離隔される複数のセグメントから構成される上記実施態様Ａ）記載のパッケージ。
８）前記内壁は、半円形の断面を有する上記実施態様Ａ）記載のパッケージ。
９）前記チャネルは、楕円形状に構成される上記実施態様Ａ）記載のパッケージ。
Ｂ）縫合糸パッケージであって、
頂面、底面および外周縁を有するほぼ平らな基体と；
前記基体の外周縁の周りで基体の頂面から上方に延び、頂面、外面および内面を有する外壁と；
前記基体の頂面から上方に延び、内面と頂面を有する内側取り出し壁であって、この内側取り出し壁の前記内面と前記外壁の内面および前記基体の頂面は縫合糸収納チャネルを形成する内側取り出し壁と；
前記外壁の頂面から内側に延び、頂面、外面と底面を有するフランジ部材と；
頂面、底面、縫合糸取り出し口および外周縁、ならびにこの外周縁の周りに押圧手段を備える平らな摩擦プレート部材であって、この摩擦プレート部材の底面が前記押圧手段によって前記内側取り出し壁の頂面に対して押圧されるよう、前記内側取り出し壁の頂面上でかつ前記フランジ部材の下に取り付けられる摩擦プレート部材を有する縫合糸パッケージ。
１０）前記押圧手段は、湾曲して外側に延び出るリムを含む上記実施態様Ｂ）記載のパッケージ。
【００２８】
１１）前記パッケージはさらに、手術針と縫合糸を収める上記実施態様Ｂ）記載のパッケージ。
１２）前記パッケージ、手術針および縫合糸は殺菌済である上記実施態様１１）記載のパッケージ。
１３）前記パッケージはさらに、封止した外装を具備する上記実施態様１２）記載のパッケージ。
１４）前記摩擦プレート部材はさらに、この摩擦プレートの外周縁まで延び、開放端と閉止端をもつ複数の放射状スロットを有する上記実施態様Ｂ）記載のパッケージ。
１５）前記フランジ部材は、複数の間隙によって互いに離隔される複数のセグメントから構成される上記実施態様Ｂ）記載のパッケージ。
１６）前記内壁は、複数の間隙によって互いに離隔される複数のセグメントから構成される上記実施態様Ｂ）記載のパッケージ。
１７）前記内壁は、半円形の断面を有する上記実施態様Ｂ）記載のパッケージ。
１８）前記チャネルは、楕円形状に構成される上記実施態様Ｂ）記載のパッケージ。
Ｃ）縫合糸パッケージであって、
頂面、底面および外周縁を有するほぼ平らな基体と；
前記基体の外周縁の周りで基体の頂面から上方に延び、頂面、外面および内面を有する外壁と；
前記基体の頂面から上方に延び、内面、外面と頂面を有する内側取り出し壁であって、この内側取り出し壁の前記内面と前記外壁の内面および前記基体の頂面は縫合糸収納チャネルを形成する内側取り出し壁と；
前記外壁の内面まで延びるスナップ溝と；
前記内側取り出し壁の内側で前記基体の頂面中央に取り付けられて、ニードルを収めるニードルパーク手段と；
頂面、底面、縫合糸取り出し口および外周縁、ならびにこの外周縁の周りに押圧手段を備える平らな摩擦プレート部材であって、この摩擦プレート部材の底面が前記押圧手段によって前記内側取り出し壁の頂面に対して押圧されるよう、前記内側取り出し壁の頂面上に取り付けられ、かつ前記摩擦プレート部材の外周縁が前記スナップ溝に係合する摩擦プレート部材を有する縫合糸パッケージ。
１９）前記押圧手段は、湾曲して外側に延び出るリムを含む上記実施態様Ｃ）記載のパッケージ。
２０）前記パッケージはさらに、手術針と縫合糸を収める上記実施態様Ｃ）記載のパッケージ。
【００２９】
２１）前記パッケージ、手術針および縫合糸は殺菌済である上記実施態様２０）記載のパッケージ。
２２）前記パッケージはさらに、封止した外装を具備する上記実施態様２１）記載のパッケージ。
２３）前記摩擦プレート部材はさらに、この摩擦プレートの外周縁まで延び、開放端と閉止端をもつ複数の放射状スロットを有する上記実施態様Ｃ）記載のパッケージ。
２４）前記内壁は、複数の間隙によって互いに離隔される複数のセグメントから構成される上記実施態様Ｃ）記載のパッケージ。
２５）前記内壁は、半円形の断面を有する上記実施態様Ｃ）記載のパッケージ。
２６）前記チャネルは、楕円形状に構成される上記実施態様Ｃ）記載のパッケージ。
Ｄ）縫合糸パッケージであって、
頂面、底面および外周縁を有するほぼ平らな基体と；
前記基体の外周縁の周りで基体の頂面から上方に延び、頂面、外面および内面を有する外壁と；
前記基体の頂面から上方に延び、内面、外面と頂面を有する内側取り出し壁であって、この内側取り出し壁の前記内面と前記外壁の内面および前記基体の頂面は縫合糸収納チャネルを形成する内側取り出し壁と；
前記外壁の内面まで延びるスナップ溝と；
頂面、底面、縫合糸取り出し口および外周縁、ならびにこの外周縁の周りに押圧手段を備える平らな摩擦プレート部材であって、この摩擦プレート部材の底面が前記押圧手段によって前記内側取り出し壁の頂面に対して押圧されるよう、前記内側取り出し壁の頂面上に取り付けられ、かつ前記摩擦プレート部材の外周縁が前記スナップ溝に係合する摩擦プレート部材を有する縫合糸パッケージ。
２７）前記押圧手段は、湾曲して外側に延び出るリムを含む上記実施態様Ｄ）記載のパッケージ。
２８）前記パッケージはさらに、手術針と縫合糸を収める上記実施態様Ｄ）記載のパッケージ。
２９）前記パッケージ、手術針および縫合糸は殺菌済である上記実施態様２８）記載のパッケージ。
３０）前記パッケージはさらに、封止した外装を具備する上記実施態様２９）記載のパッケージ。
【００３０】
３１）前記摩擦プレート部材はさらに、この摩擦プレートの外周縁まで延び、開放端と閉止端をもつ複数の放射状スロットを有する上記実施態様Ｄ）記載のパッケージ。
３２）前記内壁は、複数の間隙によって互いに離隔される複数のセグメントから構成される上記実施態様Ｄ）記載のパッケージ。
３３）前記内壁は、半円形の断面を有する上記実施態様Ｄ）記載のパッケージ。
３４）前記チャネルは、楕円形状に構成される上記実施態様Ｄ）記載のパッケージ。
【００３１】
【発明の効果】
以上のように、本発明によれば、縫合糸をパッケージから引き出す際のロックアップのおそれを少なくできる縫合糸チャネルを有する縫合糸パッケージを得ることができる。
【図面の簡単な説明】
【図１】本発明に係るパッケージの斜視図（外側に重なるパッケージは一点鎖線で示してある）。
【図２】図１の部分的な２−２線断面図。
【図３】本発明のパッケージにおける有用な部材である、周縁に複数の放射状スロットを備えた摩擦プレート部材の好ましい態様を示す平面図。
【図４】ニードルパークに手術針を装填しチャネルに縫合糸を収めたトレーを示す、摩擦プレート部材を取り外した状態での本発明のパッケージの平面図。
【図５】パッケージ内の縫合糸（点線）と縫合糸が引き出されるときの縫合糸の動きの道筋を示す図１のパッケージの部分平面図。
【図６】縫合糸が内部取り出し壁の上方で引き出される際の摩擦プレートの撓みを示す図５の６−６線に沿った部分側面図。
【図７】放射状スロットがない摩擦プレート部材のもう一つの態様を示す斜視図。
【図８】外壁が摩擦プレート部材を保持するためにぴったり嵌る溝を有する本発明に係るパッケージの他の態様の平面図。
【図９】図８の溝を説明するための図８の９−９線に沿った部分側面図。
【図１】
0003830572.tif 000002
【図２】
0003830572.tif 000003
【図３】
0003830572.tif 000004
【図４】
0003830572.tif 000005
【図５】
0003830572.tif 000006
【図６】
0003830572.tif 000007
【図７】
0003830572.tif 000008
【図８】
0003830572.tif 000009
【図９】
0003830572.tif 000010